(57)【要約】【課題】昇降機における修理計画の修理項目毎に費用を算出して作業期日と費用を併せて告知できるようにすること。【解決手段】管轄する複数の昇降機に対する保守管理を行う保全センタ１であって、各昇降機から収集した稼動データを蓄積する稼動データ記憶部１Ｃと、昇降機の各部品名、修理に要する作業人員、作業時間、材料費を含む情報を記憶する修理費算出要素記憶部１Ｄと、稼動データ記憶部から稼動データを取得して修理期日を算出するとともに、修理費算出要素記憶部から所要の情報を取得して修理費を算出して修理計画を作成する修理計画作成処理部１Ｆと、作成された修理計画を記憶する修理計画記憶部１Ｅと、を有し、通信回線で接続された情報処理端末装置２からの昇降機修理計画要求に対して、修理に伴う修理期日と修理費とを併せて応答する構成とする。【選択図】図１
2005231846.tif 000002
【特許請求の範囲】
【請求項１】
管轄する複数の昇降機に対する保守管理を行う保全センタであって、
各昇降機から収集した稼動データを蓄積する稼動データ記憶部と、昇降機の各部品名、修理に要する作業人員、作業時間、材料費を含む情報を記憶する修理費算出要素記憶部と、前記稼動データ記憶部から前記稼動データを取得して修理期日を算出するとともに、前記修理費算出要素記憶部から所要の情報を取得して修理費を算出して修理計画を作成する修理計画作成処理部と、作成された修理計画を記憶する修理計画記憶部と、を有し、
通信回線で接続された情報処理端末装置からの昇降機修理計画要求に対して、修理に伴う修理期日と修理費とを併せて応答する
ことを特徴とする保全センタ。
【請求項２】
昇降機における各部品の修理計画を作成する修理計画作成装置において、
管轄する複数の昇降機に対する保守管理を行う保全センタと、前記保全センタと通信回線を通して接続される情報処理端末装置と、備え、
前記保全センタは、各昇降機から収集した稼動データを蓄積する稼動データ記憶部と、昇降機の各部品名、修理に要する作業人員、作業時間、材料費を含む情報を記憶する修理費算出要素記憶部と、前記稼動データ記憶部から前記稼動データを取得して修理期日を算出するとともに、前記修理費算出要素記憶部から所要の情報を取得して修理費を算出して修理計画を作成する修理計画作成処理部と、作成された修理計画を記憶する修理計画記憶部と、を有し、
前記情報処理端末装置は、昇降機の修理計画を前記保全センタに対して要求する修理計画要求部と、前記全センタから送信された修理計画を出力する修理計画出力部と、を有する
ことを特徴とする修理計画作成装置。
【発明の詳細な説明】
【技術分野】
【０００１】
本発明は、昇降機の修理計画作成装置に係り、特に、昇降機の部品の寿命を算出し、顧客に修理の予定、修理に伴う費用を提示する昇降機の修理計画書を作成する修理計画作成装置に関する。
【背景技術】
【０００２】
一般に、昇降機は人や荷物等を載せた状態で稼動させるものであり、常に安定した動作特性、十分な安全性を保持することが求められる。このため、昇降機は定期的に、又は動作特性に応じて点検・修理等の保守作業を行うことが必要である。そこで、保守作業員は、顧客毎の修理計画書を作成し顧客へ修理の予定、作業に必要となる費用を告知する。
【０００３】
従来技術として、昇降機の修理計画書を作成するコンピュータ利用の修理計画作成装置が提案されている（例えば、特許文献１参照）。特許文献１に記載された昇降機の修理計画作成装置においては、修理項目のうち所定修理項目に対して定められた修理間隔、及び各昇降機の修理項目についての許容使用限界値（時間）に基づいて算出し、修理計画を作成している。
【特許文献１】特開平７−２５５５７号公報
【発明の開示】
【発明が解決しようとする課題】
【０００４】
上述した特許文献１を含めた従来技術における昇降機修理計画作成装置においては、所定修理項目の定められた修理間隔及び各昇降機の修理項目についての許容使用限界値に基づいて修理計画を算出しているが、ここで算出されるのは作業期日である。このため、作業期日とは別に、各修理項目における必要人員や必要部品に基づいてその作業に掛かる作業費用を各顧客並びに作業期日毎に算出せねばならず、作業期日についての修理計画の作成と併せて、顧客へ告知する必要があり、多大な労力を要していた。また、保守員は多くの顧客へそれぞれ修理計画を作成せねばならないため、修理費の算出を失念しがちの状況にあった。
【０００５】
本発明の目的は、修理計画の修理項目毎に費用を算出して作業期日と費用の告知を行うことのできる修理計画作成装置を提供することにある。
【課題を解決するための手段】
【０００６】
前記課題を解決するために、本発明は次のような構成を採用する。  
管轄する複数の昇降機に対する保守管理を行う保全センタであって、
各昇降機から収集した稼動データを蓄積する稼動データ記憶部と、昇降機の各部品名、修理に要する作業人員、作業時間、材料費を含む情報を記憶する修理費算出要素記憶部と、前記稼動データ記憶部から前記稼動データを取得して修理期日を算出するとともに、前記修理費算出要素記憶部から所要の情報を取得して修理費を算出して修理計画を作成する修理計画作成処理部と、作成された修理計画を記憶する修理計画記憶部と、を有し、
通信回線で接続された情報処理端末装置からの昇降機修理計画要求に対して、修理に伴う修理期日と修理費とを併せて応答する構成とする。
【０００７】
また、昇降機における各部品の修理計画を作成する修理計画作成装置において、
管轄する複数の昇降機に対する保守管理を行う保全センタと、前記保全センタと通信回線を通して接続される情報処理端末装置と、備え、
前記保全センタは、各昇降機から収集した稼動データを蓄積する稼動データ記憶部と、昇降機の各部品名、修理に要する作業人員、作業時間、材料費を含む情報を記憶する修理費算出要素記憶部と、前記稼動データ記憶部から前記稼動データを取得して修理期日を算出するとともに、前記修理費算出要素記憶部から所要の情報を取得して修理費を算出して修理計画を作成する修理計画作成処理部と、作成された修理計画を記憶する修理計画記憶部と、を有し、
前記情報処理端末装置は、昇降機の修理計画を前記保全センタに対して要求する修理計画要求部と、前記全センタから送信された修理計画を出力する修理計画出力部と、を有する構成とする。
【発明の効果】
【０００８】
本発明によれば、作成された修理計画の修理項目毎に、その作業に掛かる費用を算出するので、作業期日に必要となる費用を確実に把握できる。したがって、顧客への作業期日と費用の告知を忘れずに行うことができる。
【発明を実施するための最良の形態】
【０００９】
本発明の実施形態に係る修理計画書作成装置について、図１と図２を参照しながら以下説明する。図１は本発明の実施形態に係る修理計画書作成装置の全体構成を示すブロック図である。図２は本発明の実施形態に係る修理計画書作成装置における修理計画書作成要求に基づく動作フローを示す図である。
【００１０】
図１において、本実施形態に係る修理計画書作成装置は、図示しない複数の昇降機等における設備機器の総括的な管理を行う保全センタ１と、保全センタ１と通信回線を介して接続される複数の営業所情報処理装置２と、から構成されている。
【００１１】
保全センタ１は、昇降機等における設備機器の保守を行う保守会社の本社等に設置されており、保全センタ１には、複数の昇降機等の設備機器から収集した稼動データを蓄積する稼動データ記憶部１Ｃと、昇降機の保守作業に係る設備機器の機種名、修理に掛かる作業人員、作業時間、材料費等を記憶する修理費算出要素記憶部１Ｄと、稼動データ記憶部１Ｃから所定の設備機器の稼動データ抽出し、修理作業計画を作成する修理計画作成処理部１Ｆと、作成された修理計画を記憶する修理計画記憶部１Ｅと、各部１Ｃ〜１Ｆを制御し、修理計画書作成に必要な情報を取得する制御部１Ｂと、制御部１Ｂで抽出された所定の設備機器の機種名及び取得情報を送信する、例えば通信処理部１Ａと、が設けられている。
【００１２】
一方、営業所情報処理装置２は、各地にある複数の営業所にそれぞれ設置されており、営業所情報処理装置２には、修理計画書作成を要求する修理計画書要求部２Ｄと、保全センタ１から送られてきた修理計画の結果を出力する修理計画書出力部２Ｃと、保全センタ１との間で通信を行う通信処理部２Ａと、各部２Ａ、２Ｃ、２Ｄの制御を行う制御部２Ｂと、が設けられている。
【００１３】
次に、図２に示すフローチャートを用いて、複数の営業所情報処理装置２、２、…のいづれか１つの営業所情報処理装置２から修理計画書作成要求が出力された際の修理計画書作成装置の動作について説明する。
【００１４】
まず、ステップＳ１において、営業所の保守員による入力操作によって営業所情報処理装置２の修理計画書要求部２Ｄが、修理計画書の作成を通信処理部２Ａ及び通信回線を通して保全センタ１に要求する。次に、ステップＳ２において、保全センタ１の制御部１Ｂは、要求された修理計画書作成の要求内容の情報、例えば、作業現場、作成期間、昇降機名等を分析し、修理計画作成が可能か否かを判定する。
【００１５】
このとき、該当作業現場の修理計画が作成可能であった場合、ステップＳ３に移行する。一方、該当作業現場の修理計画が作成不可能であった場合、ステップＳ７に移行し、作成不可能通知を営業所情報処理装置２に出力する。
【００１６】
次いで、ステップＳ３において、保全センタ１の制御部１Ｂの制御の基に修理計画作成処理部１Ｆは、分析した修理計画書作成の要求内容の情報に基づいて稼動データ記憶部１Ｃから修理計画書作成の要求内容の情報に適合した稼動データを抽出し、修理期日の算出を行う。さらに、修理費算出要素記憶部１Ｄより、修理項目、作業人員、作業費単価、材料費に基づき修理費算出を行い、この修理費算出と前述の修理作業期日の算出とを併せて作成した修理計画を修理計画記憶部１Ｅに格納する。
【００１７】
次に、ステップＳ４において、保全センタ１の制御部１Ｂは、修理計画を要求した営業所の営業所情報処理装置２に修理計画データを通信処理部１Ａを通して送信する。さらに、営業所情報処理装置２は、保全センタ１から送信された修理計画データを修理計画書出力部２Ｃにおいて当該修理計画書を出力する。そして、営業所保守員は出力された修理計画書を顧客先へ出向き修理計画書を提出する。
【００１８】
以上のように、本実施形態によれば、昇降機の修理計画書作成において、作成された修理計画の修理項目毎に、その作業にかかる費用を算出するので、作業期日に必要となる費用を確実に把握できる。したがって、顧客への作業期日と費用の告知を忘れずに実行し得ることができる。なお、本実施形態では、昇降機における各部品の診断又は取り替えは修理の概念に含むものとする。
【図面の簡単な説明】
【００１９】
【図１】本発明の実施形態に係る修理計画書作成装置の全体構成を示すブロック図である。
【図２】本発明の実施形態に係る修理計画書作成装置における修理計画書作成要求に基づく動作フローを示す図である。
【符号の説明】
【００２０】
１  保全センタ
１Ａ  通信処理部
１Ｂ  制御部
１Ｃ  稼動データ記憶部
１Ｄ  修理費算出要素記憶部
１Ｅ  修理計画記憶部
１Ｆ  修理計画作成処理部
２  営業所情報処理装置
２Ａ  通信処理部
２Ｂ  制御部
２Ｃ  修理計画書出力部
２Ｄ  修理計画書要求部
【図１】
2005231846.tif 000003
【図２】
2005231846.tif 000004